(57)【特許請求の範囲】
【請求項１】
熱交換器、冷媒管、及びドレンパン、並びにクロスフローファンを一体に備えた熱交換ユニットを、フレームに組み付けて固定し、このフレームの前面に、前記熱交換ユニットを覆うグリルを備え、これらを室内の壁に固定した据付板に支持させた壁掛け型空気調和装置において、
前記グリルの下面に開口、及びこれを覆うカバーを備え、
前記カバーを開けると露出する前記開口内に、
前記フレームの一部であって、前記開口内で露出した面を有する螺合部と、前記グリルの一部であって、前記螺合部の面に沿って延在するグリル側接触部と、グリル固定用ネジによって前記螺合部に対して前記グリル側接触部を固定することにより前記フレームに対して前記グリルを固定するグリル止め部と、
前記据付板の一部であって、前記開口内で露出した面を有する据付板側接触部と、前記フレームの一部であって、前記据付板側接触部の面に沿って延在するフレーム側接触部と、フレーム固定用ネジによって前記据付板側接触部に対して前記フレーム側接触部を固定することにより前記据付板に対して前記フレームを固定するフレーム止め部と、
を一体に備えたことを特徴とする壁掛け型空気調和装置。
【請求項２】
前記グリル固定用ネジの頭頂部、及び、前記フレーム固定用ネジの頭頂部が、鉛直下方に対して前方に傾斜した方向に向かっていることを特徴とする請求項１に記載の壁掛け型空気調和装置。
【請求項３】
前記グリル固定用ネジの頭頂部、及び、前記フレーム固定用ネジの頭頂部が略同一方向に向かっていることを特徴とする請求項１又は２に記載の壁掛け型空気調和装置。
【請求項４】
前記グリル固定用ネジ、及び、前記フレーム固定用ネジは、前記グリルの長手方向に間隔をあけて設けられていることを特徴とする請求項１乃至３のいずれかに記載の壁掛け型空気調和装置。
【請求項５】
前記開口内で、前記グリル固定用ネジの螺合に応じて当該ネジの頭頂部が係止する面と、前記フレーム固定用ネジの螺合に応じて当該ネジの頭頂部が係止する面とが、段差を付けて平行に延在していることを特徴とする請求項１乃至４のいずれかに記載の壁掛け型空気調和装置。
【請求項６】
前記開口は、前記グリルの下面に、長手方向に間隔をあけて複数形成され、複数の前記開口のそれぞれに前記グリル止め部と前記フレーム止め部とを一体に備えたことを特徴とする請求項１乃至５のいずれかに記載の壁掛け型空気調和装置。
【発明の詳細な説明】
【技術分野】
【０００１】
本発明は、被調和室の壁面等に取り付ける壁掛け型空気調和装置に関する。
【背景技術】
【０００２】
従来、被調和室の壁面等に取り付けられる壁掛け型空気調和装置が知られている（例えば、特許文献１参照）。この種の壁掛け型空気調和装置では、壁面に対して据付板が固定され、この据付板に対してフレームが固定され、このフレームに対して送風機や熱交換器等の機器が固定され、この熱交換器を覆った状態でフレームに対してグリルが固定されたものがある。
【先行技術文献】
【特許文献】
【０００３】
【特許文献１】特開２００９−１５６４９０号公報
【発明の概要】
【発明が解決しようとする課題】
【０００４】
ところで、上述したような壁掛け型空気調和装置では、据付板とフレームとの間の間隙を減少した状態で、据付板に対してフレームを固定したいとするニーズがあると共に、フレームに対して強固にグリルを固定したいとするニーズがある。特に、部品点数をなるべく多くすることなく、かつ、壁掛け型空気調和装置全体のデザイン性をなるべく悪くすることなく、上記ニーズに応えることが求められていた。
本発明は、上述した事情に鑑みてなされたものであり、据付板に対してフレームが固定され、このフレームに対してグリルが固定された壁掛け型空気調和装置において、部品点数の増大、及び、デザイン性の悪化を抑制した上で、据付板とフレームとの間隙を減少した状態で据付板に対しフレームを固定可能とすると共に、フレームに対して強固にグリルを固定可能とした壁掛け型空気調和装置を提供することを目的とする。
【課題を解決するための手段】
【０００５】
上記目的を達成するために、本発明は、熱交換器、冷媒管、及びドレンパン、並びにクロスフローファンを一体に備えた熱交換ユニットを、フレームに組み付けて固定し、このフレームの前面に、前記熱交換ユニットを覆うグリルを備え、これらを室内の壁に固定した据付板に支持させた壁掛け型空気調和装置において、前記グリルの下面に開口、及びこれを覆うカバーを備え、前記カバーを開けると露出する前記開口内に、前記フレームの一部であって、前記開口内で露出した面を有する螺合部と、前記グリルの一部であって、前記螺合部の面に沿って延在するグリル側接触部と、グリル固定用ネジによって前記螺合部に対して前記グリル側接触部を固定することにより前記フレームに対して前記グリルを固定するグリル止め部と、前記据付板の一部であって、前記開口内で露出した面を有する据付板側接触部と、前記フレームの一部であって、前記据付板側接触部の面に沿って延在するフレーム側接触部と、フレーム固定用ネジによって前記据付板側接触部に対して前記フレーム側接触部を固定することにより前記据付板に対して前記フレームを固定するフレーム止め部と、を一体に備えたことを特徴とする。
この構成によれば、グリル止め部によって、フレームに対してグリルを強固に固定できると共に、フレーム止め部によって、据付板とフレームとの間隙を減少した状態で据付板に対してフレームを固定できる。さらに、グリル止め部とフレーム止め部とを１つの開口内に一体に備えるようにしたため、グリル止め部、及び、フレーム止め部のそれぞれについて開口を形成する場合と比較して、開口を塞ぐためのカバーの個数を減少させることでき、部品点数の増大を防止することができる。さらに、グリル止め部とフレーム止め部とを１つの開口内に一体に備えるようにしたため、グリル止め部、及び、フレーム止め部のそれぞれについて開口を形成する場合と比較して、開口の数が少なくなり、開口の形成に伴うデザイン性の悪化を抑制することができる。
【０００６】
ここで、上記発明の壁掛け型空気調和装置において、前記開口は、前記グリルの下面に、長手方向に間隔をあけて複数形成され、複数の前記開口のそれぞれにグリル止め部とフレーム止め部とを一体に備えたようにしてもよい。
この構成によれば、部品点数の増大、及び、デザイン性の悪化を抑制した上で、据付板とフレームとの間隙をより減少した状態で据付板に対しフレームを固定でき、かつ、フレームに対してより強固にグリルを固定できる。
【０００７】
また、上記発明の壁掛け型空気調和装置において、前記グリル止め部は、グリル固定用ネジによって前記フレームに対して前記グリルを固定する部位であり、前記フレーム止め部は、フレーム固定用ネジによって前記据付板に対して前記フレームを固定する部位であるようにしてもよい。
この構成によれば、グリル固定用ネジ、及び、フレーム固定用ネジを利用して、容易、かつ、確実に、フレームに対するグリルの固定、及び、据付板に対するフレームの固定が可能となる。
【０００８】
また、上記発明の壁掛け型空気調和装置において、前記グリル固定用ネジの頭頂部、及び、前記フレーム固定用ネジの頭頂部が、鉛直下方に対して前方に傾斜した方向に向かっているようにしてもよい。
この構成によれば、グリル固定用ネジの頭頂部、及び、フレーム固定用ネジの頭頂部が、鉛直下方に対して前方に傾斜した方向に向かっているため、ドライバーの先端等をネジの頭頂部に接触させやすく、作業性が向上する。
【０００９】
また、上記発明の壁掛け型空気調和装置において、前記グリル固定用ネジの頭頂部、及び、前記フレーム固定用ネジの頭頂部が略同一方向に向かっているようにしてもよい。
この構成によれば、グリル固定用ネジ、及び、フレーム固定用ネジの両方を容易に連続して操作することが可能となり、作業性が向上する。
【００１０】
また、上記発明の壁掛け型空気調和装置において、前記グリル固定用ネジ、及び、前記フレーム固定用ネジは、前記グリルの長手方向に間隔をあけて設けられているようにしてもよい。
この構成によれば、グリル固定用ネジ及びフレーム固定用ネジがグリルの長手方向に間隔をあけて設けられているため、これらネジが近接して設けられている場合と比較して、これらネジを操作しやすく、作業性が向上する。
また、前記開口内で、前記グリル固定用ネジの螺合に応じて当該ネジの頭頂部が係止する面と、前記フレーム固定用ネジの螺合に応じて当該ネジの頭頂部が係止する面とが、段差を付けて平行に延在していてもよい。
【発明の効果】
【００１１】
本発明によれば、部品点数の増大、及び、デザイン性の悪化を抑制した上で、据付板とフレームとの間隙を減少した状態で据付板に対しフレームを固定可能とすると共に、フレームに対して強固にグリルを固定可能となる。
【図面の簡単な説明】
【００１２】
【図１】本実施形態に係る壁掛け型空気調和装置の断面図である。
【図２】壁掛け型空気調和装置の分解斜視図である。
【図３】壁掛け型空気調和装置の斜視図である。
【図４】フレーム止め部及びグリル止め部を示す要部断面図である。
【図５】フレーム止め部及びグリル止め部の正面図である。
【発明を実施するための形態】
【００１３】
以下、図面を参照して本発明の実施形態について説明する。
図１は本発明を適用した実施の形態に係る壁掛け型空気調和装置１の断面図であり、図２は壁掛け型空気調和装置１の分解斜視図である。
壁掛け型空気調和装置１は、被調和室の壁面に複数のネジによって固定される据付板５０と、この据付板５０に対して固定されるフレーム３と、このフレーム３に対して固定されるグリル１０とを備えている。
壁掛け型空気調和装置１は、断面略Ｃ字状に形成されたフィンアンドチューブ型の熱交換器２をフレーム３に配設し、この熱交換器２の内側に送風機４を配置して構成され、熱交換器２にはグリル１０が被せられる。フレーム３は樹脂成形により断面略Ｌ字状に形成された部材であり、熱交換器２から流下するドレン水を受けるドレンパン３１、及び、送風機４を収容するスクロール部３２を備え、フレーム３の背面には、据付板５０の係止爪５１を受ける凹部が形成されている。このフレーム３及びグリル１０によって壁掛け型空気調和装置１の筐体が構成される。
【００１４】
送風機４はいわゆるクロスフローファンで構成され、フレーム３に設けられた舌部４８とスクロール部３２との間に収められ、送風機４の両端が、ベアリング４３を有する軸受け部４４と、軸受け部４５とを介してフレーム３により支持される。
送風機４の一端にはファンモーター４６が連結され、ファンモーター４６が、軸受け４７を介してフレーム３に取り付けられている。より詳細に説明すると、送風機４の一端には、ファンモーター４６の出力軸が挿入される穴４１が設けられ、この穴４１に挿入されたファンモーター４６の出力軸は、送風機４の側面から螺入されるセットスクリュー４２によって、送風機４に固定される。また、ファンモーター４６の側方には電装ボックス５５が配置される。
フレーム３の背面側の下部には、冷媒配管やドレン管を収容するための長手形状の空間である配管収容部３３が形成され、配管収容部３３内の上記配管を押さえ込む配管押え５２、５３が取り付けられる。
【００１５】
グリル１０には上面吸込口１１及び前面吸込口１２が開口し、前面吸込口１２を覆うように前面パネル１６が取り付けられる。
送風機４は、上面吸込口１１及び前面吸込口１２から熱交換器２を介して室内空気を吸い込み、熱交換器２において熱交換された空気を、スクロール部３２と舌部４８との間の空間を通じて、壁掛け型空気調和装置１の下面に開口する吹出口１３から被調和室内に吹き出す。
吹出口１３には風向変更用の横羽根としての２枚のフラップ６０、６０が設けられる。フラップ６０はフラップ軸６１を有し、このフラップ軸６１を中心として上下に回動する。２枚のフラップ６０、６０は、フラップ駆動モーター６３によって連動して駆動され、吹出口１３を開閉するとともに、吹出口１３からの風向を上下方向において設定する。
【００１６】
また、スクロール部３２の出口側には、風向変更用の複数の縦羽根８５が並べて配置されている。縦羽根８５は、複数枚（本実施形態では５枚）が一組となって、スクロール部３２の裏側でリンク部材８７により連結される。縦羽根８５は、縦羽根駆動モーター（不図示）に連結され、この縦羽根駆動モーターの動作または操作レバー８６の操作に応じて、左右に向きを変える。
そして、縦羽根８５とフラップ６０との間に、ファンガード７０が設けられている。ファンガード７０は、吹出口１３の長手方向に沿って、互いに平行に掛け渡された２本のワイヤー７１、７１と、これらワイヤー７１、７１の端を束ねる支持体７２、７３とを備えて構成される。ファンガード７０は、ワイヤー７１、７１によって、吹出口１３の奥へ手を差し入れることができないようにする。
【００１７】
図３は壁掛け型空気調和装置１を下方から見た斜視図である。なお、この図３においては理解の便宜のためにフラップ６０の図示を省略する。
ファンガード７０の支持体７２は、長手形状の吹出口１３の一端側に取り付けられ、吹出口１３の他端側には支持体７３が取り付けられる。
また、吹出口１３には、長手方向に三等分するように、フラップ６０を支持する２つの支柱６５が設けられる。支柱６５は、吹出口１３の上縁部１３ａと下縁部１３ｂとの間に掛け渡され、２枚のフラップ６０、６０のフラップ軸６１、６１が差し込まれる２つの支持穴６６、６６を有する。吹出口１３の両端には、それぞれ、フラップ６０を取り付けるためのフラップ支持部６８が設けられ、これら２つのフラップ支持部６８の各々は、２枚のフラップ６０、６０のフラップ軸６１、６１が差し込まれる支持穴６９、６９が形成される。つまり、フラップ６０は、２つの支柱６５及び２つのフラップ支持部６８により、回動可能に支持される。そして、ファンガード７０は、ワイヤー７１が、フラップ６０が取り付けられる支持穴６６、６９よりも奥で、かつ、縦羽根８５よりも前に位置するように取り付けられる。
【００１８】
図１及び図３に示すように、グリル１０の下面１０ａには、２つのサービスホール１５Ｌ、１５Ｒ（以下、サービスホール１５Ｌ、１５Ｒを特に区別しない場合は「サービスホール１５」という）が開口している。このサービスホール１５は、据付板５０とフレーム３とを固定するためのフレーム固定用ネジ９０が取り付けられるフレーム止め部９１、及び、フレーム３とグリル１０とを固定するためのグリル固定用ネジ９２が取り付けられるグリル止め部９３にアクセスするための開口である。つまり、本実施形態では、１つのサービスホール１５内に、フレーム止め部９１、及び、グリル止め部９３が一体に設けられている。
図３に示すように、サービスホール１５Ｌ及びサービスホール１５Ｒのそれぞれは、グリル１０の下面１０ａにおいて、長手方向に所定の間隔をあけて形成されている。サービスホール１５Ｌ、１５Ｒは、通常使用時においてはネジキャップ１４（カバー）により塞がれている。
以下、サービスホール１５Ｌ、１５Ｒ、フレーム止め部９１、及び、グリル止め部９３について詳述する。
【００１９】
図４は、図１に示す壁掛け型空気調和装置１の断面図について、サービスホール１５Ｒ近傍の部位を拡大した図である。図５は、図４の矢印Ｙ１方向からフレーム止め部９１、及び、グリル止め部９３を見た図である。
フレーム止め部９１は、据付板５０に対しフレーム３をフレーム固定用ネジ９０によって固定するための部位である。図４に示すように、据付板５０は、その下端部５０ａにおいて、断面く字状に折り曲げられており、折り曲げて形成された部分に据付板側接触部９５が形成されている。据付板側接触部９５は、その前面（後述するフレーム側接触部９６に接触する側の面）が、前方斜め下に向かっている。一方、フレーム３の据付板５０側の下端部３ａも断面く字状に折り曲げられており、折り曲げて形成された部分に、据付板側接触部９５に接触した状態で延在するフレーム側接触部９６が設けられている。フレーム側接触部９６には、フレーム固定用ネジ９０の軸部が貫通するネジ貫通孔９７が形成されており、ネジ貫通孔９７を介して、フレーム固定用ネジ９０が据付板側接触部９５に螺合されることにより、据付板側接触部９５及びフレーム側接触部９６が固定され、これにより、据付板５０に対してフレーム３が固定される。
【００２０】
上述したように、据付板側接触部９５は、その前面が、前方斜め下に向かっている。そして、フレーム固定用ネジ９０は、前方斜め下に向かった据付板側接触部９５の前面に対して垂直に螺合される。従って、フレーム固定用ネジ９０の頭頂部９０ａは、鉛直下方に対して前方に傾斜した方向に向かうこととなる。このため、作業者は、ドライバーによってフレーム固定用ネジ９０を操作する際、フレーム固定用ネジ９０の頭頂部９０ａが被調和室側を向いている場合と比較して、ドライバーの先端をフレーム固定用ネジ９０の頭頂部９０ａに接触させやすく、作業性がよい。
【００２１】
ここで、ユーザーが、据付板５０とフレーム３との間の間隙をなるべく無くした上で、据付板５０に対してフレーム３を固定したいとする場合がある。この場合、作業者は、ネジキャップ１４を取り外して、サービスホール１５Ｌ、１５Ｒを介してフレーム止め部９１を露出させ、ドライバー等を利用して、ネジ貫通孔９７を介してフレーム固定用ネジ９０を据付板側接触部９５に螺合する。フレーム固定用ネジ９０の螺合によって、据付板側接触部９５とフレーム側接触部９６とが接触した状態で固定され、これにより、据付板５０及びフレーム３に形成される間隙が縮小される。
【００２２】
グリル止め部９３は、フレーム３に対しグリル１０をグリル固定用ネジ９２によって固定するための部位である。フレーム３の下端部３ａにおけるグリル止め部９３に対応する部位には、グリル固定用ネジ９２が螺合されるための螺合部９９が形成されている。この螺合部９９は、上述したフレーム側接触部９６と段差を付けて平行に延在している。同様に、グリル１０の下端部１０ｂにおけるグリル止め部９３に対応する部位には、螺合部９９に接触した状態で延在するグリル側接触部１００が形成されている。このグリル側接触部１００には、グリル固定用ネジ９２の軸部が貫通するために切り欠いて形成されたネジ切り欠き部１０１が形成されている。このネジ切り欠き部１０１を介して、グリル固定用ネジ９２が螺合部９９に螺合されることにより、螺合部９９とグリル側接触部１００とが接触した状態で固定され、これにより、フレーム３に対してグリル１０が固定される。
【００２３】
上述したように、螺合部９９は、フレーム側接触部９６と平行に延在しているため、その前面（グリル側接触部１００と接触する面）が、前方斜め下に向かっている。そして、グリル固定用ネジ９２は、前方斜め下に向かった螺合部９９の前面に対して垂直に螺合される。従って、グリル固定用ネジ９２の頭頂部９２ａは、鉛直下方に対して前方に傾斜した方向に向かうこととなる。このため、作業者は、ドライバーによってグリル固定用ネジ９２を操作する際、グリル固定用ネジ９２の頭頂部９２ａが被調和室側を向いている場合と比較して、ドライバーの先端をグリル固定用ネジ９２の頭頂部９２ａに接触させやすく、作業性がよい。さらに、フレーム固定用ネジ９０とグリル固定用ネジ９２は平行に延出し、フレーム固定用ネジ９０の頭頂部９０ａと、グリル固定用ネジ９２の頭頂部９２ａとは同一方向に向かった状態となる。このため、容易に、フレーム固定用ネジ９０とグリル固定用ネジ９２とを連続して操作でき、作業性がよい。また、フレーム固定用ネジ９０とグリル固定用ネジ９２とは、グリル１０の長手方向に間隔をあけて設けられている。従って、これらネジが近接して設けられている場合と比較して、これらネジを操作しやすく、作業性がよい。
【００２４】
ここで、グリル１０は、フレーム３を覆うようにして、フレーム３に対して固定される部材である。従ってグリル１０の上面や側面はフレーム３に支持されその状態が維持されるものの、グリル１０の下面１０ａは、重力によって撓んでしまう傾向がある。本実施形態では、グリル止め部９３において、グリル固定用ネジ９２によって、グリル１０の下面１０ａとフレーム３とが固定されるため、グリル１０の下面１０ａの撓みを防止した状態で、グリル１０とフレーム３とを強固に固定することができる。特に、本実施形態では、グリル止め部９３について専用のサービスホールを設けるのではなく、フレーム止め部９１にアクセスするための既存のサービスホール１５の内部に、フレーム止め部９１と一体的にグリル止め部９３を設けている。従って、サービスホール１５とは別に、グリル止め部９３のためのサービスホールを形成する場合と比較して、サービスホール１５を塞ぐためのネジキャップの個数を減少させることでき、部品点数の増大を防止することができる。さらに、グリル止め部９３とフレーム止め部９１とを１つのサービスホール１５に一体に備えるようにしたため、グリル止め部９３、及び、フレーム止め部９１のそれぞれについてサービスホールを形成する場合と比較して、開口の数が少なくなり、開口の形成に伴うデザイン性の悪化を抑制することができる。
【００２５】
以上説明したように、本実施形態に係る壁掛け型空気調和装置１は、グリル１０の下面１０ａにサービスホール１５、及びこれを覆うネジキャップ１４を備え、ネジキャップ１４を開けると露出するサービスホール１５内に、フレーム３にグリル１０を固定するグリル止め部９３と、据付板５０にフレーム３を固定するフレーム止め部９１とを一体に備えている。
これによれば、グリル止め部９３によって、フレーム３に対してグリル１０を強固に固定できると共に、フレーム止め部９１によって、据付板５０とフレーム３との間隙を減少した状態で据付板５０に対してフレーム３を固定できる。さらに、グリル止め部９３とフレーム止め部９１とを１つのサービスホール１５内に一体に備えるようにしたため、グリル止め部９３、及び、フレーム止め部９１のそれぞれについてサービスホールを形成する場合と比較して、サービスホールを塞ぐためのネジキャップの個数を減少化させることでき、部品点数の増大を防止することができる。さらに、グリル止め部９３とフレーム止め部９１とを１つのサービスホール１５内に一体に備えるようにしたため、グリル止め部９３、及び、フレーム止め部９１のそれぞれについてサービスホールを形成する場合と比較して、サービスホールの数が少なくなり、サービスホールの形成に伴うデザイン性の悪化を抑制することができる。
【００２６】
また、本実施形態に係る壁掛け型空気調和装置１は、サービスホール１５Ｌ、１５Ｒは、グリル１０の下面１０ａに、長手方向に間隔をあけて複数（２つ）形成され、２つのサービスホール１５Ｌ、１５Ｒのそれぞれにグリル止め部９３とフレーム止め部９１とを一体に備えている。
これによれば、部品点数の増大、及び、デザイン性の悪化を抑制した上で、据付板５０とフレーム３との間隙をより減少した状態で据付板５０に対しフレーム３を固定でき、かつ、フレーム３に対してより強固にグリル１０を固定できる。
【００２７】
また、本実施形態では、グリル止め部９３は、グリル固定用ネジ９２によってフレーム３に対してグリル１０を固定する部位であり、フレーム止め部９１は、フレーム固定用ネジ９０によって据付板５０に対してフレーム３を固定する部位である。
これによれば、グリル固定用ネジ９２、及び、フレーム固定用ネジ９０を利用して、容易、かつ、確実に、フレーム３に対するグリル１０の固定、及び、据付板５０に対するフレーム３の固定が可能となる。
【００２８】
また、本実施形態では、グリル固定用ネジ９２の頭頂部９２ａ、及び、フレーム固定用ネジ９０の頭頂部９０ａが、鉛直下方に対して前方に傾斜した方向に向かっている。
これによれば、グリル固定用ネジ９２の頭頂部９２ａ、及び、フレーム固定用ネジ９０の頭頂部９０ａが、鉛直下方に対して前方に傾斜した方向に向かっているため、ドライバーの先端等を各ネジの各頭頂部に接触させやすく、作業性が向上する。
【００２９】
また、本実施形態では、グリル固定用ネジ９２の頭頂部９２ａ、及び、フレーム固定用ネジ９０の頭頂部９０ａが略同一方向に向かっている。
これによれば、グリル固定用ネジ９２、及び、フレーム固定用ネジ９０の両方を容易に連続して操作することが可能となり、作業性が向上する。
【００３０】
また、本実施形態では、グリル固定用ネジ９２、及び、フレーム固定用ネジ９０は、グリル１０の長手方向に間隔をあけて設けられている。
これによれば、グリル固定用ネジ９２及びフレーム固定用ネジ９０がグリル１０の長手方向に間隔をあけて設けられているため、これらネジが近接して設けられている場合と比較して、これらネジを操作しやすく、作業性が向上する。
【００３１】
なお、上記実施の形態は本発明を適用した一態様を示すものであって、本発明はこれに限定されない。
例えば、本実施形態では、サービスホール１５Ｌ、１５Ｒは２つ設けられていたが、サービスホール１５の数はこれに限らない。
【符号の説明】
【００３２】
１  壁掛け型空気調和装置
２  熱交換器
３  フレーム
４  送風機（クロスフローファン）
１０  グリル
１４  ネジキャップ（カバー）
１５  サービスホール（開口）
３１  ドレンパン
５０  据付板
９０  フレーム固定用ネジ
９０ａ  頭頂部
９２  グリル固定用ネジ
９２ａ  頭頂部
【図１】
0005507160.tif 000002
【図２】
0005507160.tif 000003
【図３】
0005507160.tif 000004
【図４】
0005507160.tif 000005
【図５】
0005507160.tif 000006